(57)【要約】  【課題】  進退駆動機構及び回動機構の駆動源の共通化とともに表示パネルを起立状態にさせた際の耐振動特性を改善し得る構造のモニタ装置を提供することである。  【解決手段】  案内レール１２に摺動自在に係合する第１スライダ４１を有し、表示パネル１０を回動自在に支持する支持部材１１と、支持部材１１を進退動させる進退駆動機構（２０、２００、１３）と、第１スライダ４１より収納筐体１００の奥側に配置され、案内レール１２に摺動自在に係合すると共に、第１スライダ４１に対して離間動及び近接動可能となるように支持部材１１に係合する第２スライダ４２と、第２スライダ４２の移動が規制された際の位置と最大突出位置との間で表示パネル１０が移動する際における第１スライダ４１と第２スライダ４２との相対的な離間動及び近接動に基づいて表示パネル１０を立上げ回動及び立ち下げ回動させる回動機構（３０、３１、３２、３００）とを有する構成となる。【選択図】  図３
2006213077.tif 000002
【特許請求の範囲】
【請求項１】
前端部が開口する収納筐体と、
表示パネルと、
前記収納筐体の前後方向に延びる案内レールと、
該案内レールに摺動自在に係合する第１スライダを有し、前記表示パネルの下端部を回動自在に支持する支持部材と、
前記表示パネルを略水平状態で支持した状態の前記支持部材を前記案内レールに沿って進退動させて、前記表示パネルを前記収納筐体内の所定の収納位置と前記開口前方の最大突出位置との間で進退動させる進退駆動機構と、
前記第１スライダより前記収納筐体の奥側に配置され、前記案内レールに摺動自在に係合すると共に、前記第１スライダに対して離間動及び近接動可能となるように前記支持部材に係合する第２スライダと、
前記支持部材の進出動に伴う前記第２スライダの前記案内レール内での移動を、前記表示パネルが前記最大突出位置に達する前に規制するスライド規制部材と、
前記第２スライダの移動が規制された際の位置と前記最大突出位置との間で前記表示パネルが移動する際における前記第１スライダと前記第２スライダとの相対的な離間動及び近接動に基づいて前記表示パネルを立上げ回動及び立ち下げ回動させる回動機構とを有することを特徴とするモニタ装置。
【請求項２】
前記回動機構は、前記案内レールと平行となるように前記第２スライダに設けられたラックと、
前記支持部材に回転自在に支持され、前記ラックに噛合する変換ギアと、
前記変換ギアの回転を前記表示パネルの回動軸に伝達する回転伝達機構とを有することを特徴とする請求項１記載のモニタ装置。
【請求項３】
前記回転伝達機構は、前記変換ギアと前記表示パネルの回動軸に装着されたギアとに噛合するギア列を有することを特徴とする請求項２記載のモニタ装置。
【請求項４】
前記スライド規制部材は、前記案内レールから突出し、前記第２スライダに形成された係合孔に係合する板バネ部材を有することを特徴とする請求項１乃至３のいずれかに記載のモニタ装置。
【発明の詳細な説明】
【技術分野】
【０００１】
本発明は、収納筐体に略水平状態にて収納された表示パネルを、前記収納筐体から突出させ、更に回動させて起立した状態にして使用するモニタ装置に関する。
【背景技術】
【０００２】
従来、車両のコンソール部に略水平状態にて収納された表示パネルを、前記コンソール部から突出させ、更に回動させて起立した状態にして使用するモニタ装置、所謂、インダッシュタイプのモニタ装置が提案されている（例えば、特許文献１参照）。この従来のモニタ装置では、前端部が開口した収納筐体（ケース）内にガイド機構（スリット及びガイドピン）にてガイドされるスライドベース（支持部材）が進退動可能に収容され、表示パネルがその下端部にて前記スライドベースに回動自在に支持されている。また、前記表示パネルを略水平状態にて支持した状態のスライドベースを進退動させる進退駆動機構と、前記表示パネルを回動させて略水平状態と所定の起立状態との間で回動させる回動機構とが設けられている。
【０００３】
このようなモニタ装置では、進退駆動機構により、スライドベースを収納筐体の開口方向に進出させ、表示パネルが最大突出位置に至る直前に回動機構を動作させる。これにより、表示パネルが収納筐体の開口から突出した所定位置から最大突出位置に至るまでの間に当該表示パネルの立上げ回動がなされ、最大突出位置に至った表示パネルがその表示画面を運転者に向けた所定の起立状態となる。また、前記回動機構及び進退駆動機構の逆動作によって、起立状態から略水平状態となった表示パネルがスライドベースの後退動に伴って収納筐体内に収納される。
【特許文献１】特開平７−２９１０４６号公報
【発明の開示】
【発明が解決しようとする課題】
【０００４】
ところで、前述したような従来のモニタ装置では、表示パネルを略水平状態で完全に収納する収納筐体の奥行き長をできるだけ短くする、及び、立ち上げるべき表示パネルを略水平状態で完全に収納筐体から突出させなければならないという構造的な要請から、前記表示パネルを回動自在に支持するスライドベースの進退動方向の長さはできるだけ小さいことが好ましい。しかしながら、スライドベースの進退方向の長さが小さいと、表示パネルの支持スパンが小さくなり、スライドベースのガイド機構との間の僅かなガタツキが比較的大きな表示パネルの振動として現れ、特に表示パネルを起立状態にさせた際の耐振動性能が劣るものとなる。
【０００５】
また、前述した従来のモニタ装置では、表示パネルの回動機構の駆動源をスライドベースの進退駆動機構の駆動源として利用することにより前記回動機構及び前記進退駆動機構の駆動源の共用化を図っている（特許文献１の図５参照）。しかしながら、前記回動機構及び前記進退駆動機構の駆動源の共用化は、前述した耐振動性能の改善に関与するものではない。
【０００６】
本発明は、前記従来の問題を解決するためになされたもので、進退駆動機構及び回動機構の駆動源の共通化とともに起立状態にさせた際の耐振動特性を改善し得る構造のモニタ装置を提供するものである。
【課題を解決するための手段】
【０００７】
本発明に係るモニタ装置は、前端部が開口する収納筐体と、表示パネルと、前記収納筐体の前後方向に延びる案内レールと、該案内レールに摺動自在に係合する第１スライダを有し、前記表示パネルの下端部を回動自在に支持する支持部材と、前記表示パネルを略水平状態で支持した状態の前記支持部材を前記案内レールに沿って進退動させて、前記表示パネルを前記収納筐体内の所定の収納位置と前記開口前方の最大突出位置との間で進退動させる進退駆動機構と、前記第１スライダより前記収納筐体の奥側に配置され、前記案内レールに摺動自在に係合すると共に、前記第１スライダに対して離間動及び近接動可能となるように前記支持部材に係合する第２スライダと、前記支持部材の進出動に伴う前記第２スライダの前記案内レール内での移動を、前記表示パネルが前記最大突出位置に達する前に規制するスライド規制部材と、前記第２スライダの移動が規制された際の位置と前記最大突出位置との間で前記表示パネルが移動する際における前記第１スライダと前記第２スライダとの相対的な離間動及び近接動に基づいて前記表示パネルを立上げ回動及び立ち下げ回動させる回動機構とを有する構成となる。
【０００８】
このような構成では、略水平状態となる表示パネルが収納位置から最大突出位置に向かって進出するように進退駆動機構が支持部材を進出させる際に、該支持部材の第１スライダと支持部材に係合する第２スライダとが案内レールを収納筐体の開口に向けて移動する。その過程において、前記表示パネルが最大突出位置に達する前に第２スライダの移動が規制され、第２スライダが前記支持部材の更なる進出に伴って相対的に第１スライダから離間していく。そして、前記表示パネルが最大突出位置に達するまでの前記支持部材の進出動に伴う前記第２スライダと第１スライダの離間動に基づいて回動機構が前記表示パネルを立上げ回動させる。
【０００９】
前記立上げ回動によって表示パネルが起立した状態では、案内レールに係合した支持部材の第１スライダと前記案内レール及び前記支持部材に係合した第２スライダとが離間した状態で前記表示パネルを支持することとなる。このため、相互に離間した第１スライダと第２スライダとの外側端部間の距離が前記表示パネルの実質的な支持スパンとなる。
【００１０】
前述したようにして表示パネルが立ち上げられた状態で、進退動駆動機構が支持部材を後退させる際に、該支持部材の後退動によって表示パネルが最大突出位置から後退しつつ第１スライダが第２スライダに近接していく。その第１スライダと第２スライダとの近接動に基づいて回動機構が前記表示パネルを立ち下げ回動させる。そして、支持部材の更なる後退動によって表示パネルが略水平状態となって収納筐体に収納される。
【００１１】
また、本発明に係るモニタ装置は、前記回動機構が、前記案内レールと平行となるように前記第２スライダに設けられたラックと、前記支持部材に回転自在に支持され、前記ラックに噛合する変換ギアと、前記変換ギアの回転を前記表示パネルの回動軸に伝達する回転伝達機構とを有する構成とすることができる。
【００１２】
このような構成により、支持部材の進退動に伴って第２スライダと当該指示部材の第１スライダとの離間動及び近接動がなされる際に変換ギアが支持部材と共に第２スライダに設けられたラック上を回転移動する。その変換ギアの回転が回転伝達機構によって表示パネルの回動軸に伝達され、表示パネルの立上げ回動及び立ち下げ回動がなされる。
【００１３】
更に、本発明に係るモニタ装置は、前記回転伝達機構が、前記変換ギアと前記表示パネルの回動軸に装着されたギアとに噛合するギア列を有する構成とすることができる。
【００１４】
このような構成により、支持部材の進退動に伴って第２スライダと当該指示部材の第１スライダとの離間動及び近接動がなされる際に第２スライダに設けられたラック上を回転移動する変換ギアの回転がギア列を介して表示パネルの回動軸に装着されたギアに伝達される。
【００１５】
また、本発明に係るモニタ装置は、前記スライド規制部材が、前記案内レールから突出し、前記第２スライダに形成された係合孔に係合する板バネ部材を有する構成とすることができる。
【００１６】
このような構成により、略水平状態となる表示パネルを支持した状態の支持部材が収納筐体の開口に向けて進出に伴って該支持部材の第１スライダと該支持部材に係合する第２スライダとが案内レールを収納筐体の開口に向けて移動する過程において、板バネ部材が第２スライダに形成された係合孔に係合することにより、第２スライダの移動が規制される。
【発明の効果】
【００１７】
本発明に係るモニタ装置によれば、第２スライダの移動が規制された際の位置と前記最大突出位置との間で前記表示パネルを移動させる支持部材の移動に伴った第１スライダと前記第２スライダとの相対的な離間動及び近接動に基づいて前記表示パネルの立上げ回動及び立ち下げ回動がなされるようになるので、前記支持部材の進退駆動機構及び表示パネルの回動機構の駆動源を共通化することができる。また、表示パネルが起立した状態では、当該表示パネルを立上げ回動させる際に離間させた前記第１スライダと前記第２スライダとの外側端部間の距離が前記表示パネルの実質的な支持スパンとなることから、比較的大きな支持スパンにて起立状態の表示パネルを支持することができ、表示パネルを起立状態にさせた際の耐振動特性を改善することができる。従って、支持部材の進退駆動機構及び表示パネルの回動機構の駆動源の共通化とともに表示パネルを起立状態にさせた際の耐振動特性の改善を図ることができるようになる。
【発明を実施するための最良の形態】
【００１８】
以下、本発明の実施の形態について、図面を用いて説明する。
【００１９】
本発明の実施の一形態に係るモニタ装置は、図１乃至図６に示すように構成される。なお、図１は表示パネル１０が収納筐体１００に収納された状態を示す側面図であり、図２はその底面図であり、図３は図１におけるＡ−Ａ断面図である。また、図４は表示パネル１０が収納筐体１００から突出して立上げ回動される直前の状態を示す側面図であり、図５はその底面図であり、図６は図４におけるＢ−Ｂ断面図である。
【００２０】
図１乃至図３において、このモニタ装置は、前端部が開口する収納筐体１００、表示パネル１０及び収納筐体１００内の両側部にその前後方向に延びるように固定された案内レール１２とを有している。収納筐体１００内には案内レール１２にてガイドされつつ前後方向に進退動可能となる支持シャーシ１１（支持部材）が設けられており、支持シャーシ１１は、表示パネル１０の下端部を回動自在に支持している。表示画面１０ａを下方（図１における下方向、図２及び図３における紙面垂直上方向）に向けて略水平状態となる表示パネル１０を支持する支持シャーシ１１が収納筐体１００の最奥部に位置するときに、表示パネル１０が、収納位置となって、その上端部（図２及び図３における下端部）を収納筐体１００の開口から露出した状態で収納筐体１００に収納される。
【００２１】
収納筐体１００の両側部には案内レール１２より上方（図１における上方向、図２及び図３における紙面垂直下方向）に案内レール１２と平行にラック１３が固定されている（後述する図７、図９参照）。支持シャーシ１１には、進退動用ギア列２００及び駆動モータ２０が設けられ、進退動用ギア列２００の一端に位置するギアが駆動モータ２０の駆動軸に装着されたギアに噛合している。また、進退動用ギア列２００の他端に位置するギアは、ラック１３に噛合するギア（後述する図１１乃至図１４に示されるギア２１）と同軸となっている。これら駆動モータ２０、進退動用ギア列２００、ラック１３及びラック１３に噛合するギアは、支持シャーシ１１の進退駆動機構を構成する。駆動モータ２０の駆動軸が所定の方向に回転すると、その回転が進退動用ギア列２００を介してラック１３に噛合するギアに伝達し、該ギアが回転することにより、支持シャーシ１１が案内レール１２に沿って進出動して、図４乃至図６に示すように、収納筐体１００の前端部開口から突出するようになる。また、駆動モータ２０が逆回転すると、その回転が同様にラック１３に噛合するギアに伝達し、該ギアの回転により支持シャーシ１１が案内レール１２に沿って、図１乃至図３に示すように、収納筐体１００の最奥部まで後退動する。
【００２２】
図３及び図６に示すように、また、図７（表示パネル１０が起立した状態を示す）に詳細に、更に、図８にて図７におけるＩ部を拡大して示すように、案内レール１２には、第１スライダ４１と、第１スライダ４１より収納筐体１００の奥側に配置された第２スライダ４２とが摺動自在に係合している。第２スライダ４２には、案内レール１２と平行となり第２スライダ４２と共に案内レール１２を摺動するラック４３が固定されている。また、第２スライダ４２には、その略中央部に係合孔４２ａが形成され、その上端部に係合ピン４２ｂが設けられ、更にその下端部に係合突起４２ｃが形成されている。
【００２３】
案内レール１２の所定位置には矩形孔１２ａが形成され、板バネ部材１４が矩形孔１２ａから内側に突出するように設けられている。板バネ部材１４の先端部には突起部１４ａが形成され、板バネ部材１４の弾性によって突起部１４ａが矩形孔１２ａに没入、及び矩形孔１２ａから外側に突出可能となる。そして、板バネ部材１４の突起部１４ａが案内レール１２を摺動する第２スライダ４２の係合孔４２ａに嵌り込み得るようになっている。板バネ部材１４の突起部１４ａの第２スライダ４２の係合孔４２ａへの嵌り込みによって、収納筐体１００の前端部開口に向けた第２スライダ４２の移動が規制される。即ち、板バネ部材１４が第２スライダ４２の移動を規制するスライド規制部材として機能する。
【００２４】
また、図９に、更に図１０にて図９におけるII部を拡大してそれぞれ示すように、案内レール１２に摺動自在に係合する第１スライダ４１は、支持シャーシ側部１１ａに固定されて支持シャーシ１１と一体となり、案内レール１２に沿って支持シャーシ１１の進退動をガイドする。支持シャーシ側部１１ａの所定部位には、支持シャーシ１１の進退動方向に延びる長孔１１ａａ及び切り欠き部１１ａｂが形成されている。第２スライダ４２は、係合ピン４２ｂが長孔１１ａａに、係合突起４２ｃが切り欠き部１１ａｂにそれぞれ係合することにより、支持シャーシ側部１１ａに固定された第１スライダ４１に対して前後方向に離間動及び接近動可能となるように支持シャーシ側部１１ａ（支持シャーシ１１）に係合している。このように支持シャーシ側部１１ａに係合する第２スライダ４２は、第１スライダ４１とともに案内レール１２に沿って支持シャーシ１１の進退動をガイドする。
なお、案内レール１２は、収納筐体１００の両側面を部分的に内方に切り起こすことにより、収納筐体１００に一体形成してもよい。
【００２５】
図２、図３、図５及び図６に示すように、支持シャーシ１１には、支持シャーシ側部１１ａの内側に配置されるように、回動用ギア列３００が設けられている。また、図３及び図６に示すように支持シャーシ側部１１ａの外側に配置され、支持シャーシ側部１１ａに回転自在に支持された変換ギア３０が、図１１に詳細に示すように、第２スライダ４２のラック４３に噛合している。変換ギア３０は、回動用ギア列３００に含まれるギア３１と同軸となっており（図３及び図６参照）、回動用ギア列３００においてギア３１が更にギア３２に噛合って、変換ギア３０の回転が回動用ギア列３００に伝達するようになっている。そして、回転用ギア列３００における表示パネル１０側の端部に位置するギア３３が表示パネル１０の回動軸に装着されたギア１６（後述する図１４参照）に噛合している。このようにして、第２スライダ４２のラック４３、変換ギア３０及び回転伝達機構となる回動用ギア列３００によって表示パネル１０の回動機構が構成される。
【００２６】
次に、前述したような構造のモニタ装置における表示パネル１０の突出立上げ動作及び立ち下げ収納動作について説明する。
【００２７】
まず、表示パネル１０の突出立上げ動作は次のようになされる。
【００２８】
進退駆動機構（駆動モータ２０、進退動用ギア列２００、ラック１３、ギア２１）によって、図１乃至図６に示すように、支持シャーシ１１が収納筐体１００の最奥位置から収納筐体１００の前端部開口に向かって進出する。このとき、図１２に示すように、第１スライダ４１及び第２スライダ４２は相互に当接した状態となっており、支持シャーシ１１は、このように相互に当接した第１スライダ４１及び第２スライダ４２によって案内レール１２にガイドされつつ進出動する。また、支持シャーシ１１が進出動する過程で、第１スライダ４１が一体化している支持シャーシ１１と第２スライダ４２との相対的な動きがないことから、図１１（ａ）、（ｂ）に示すように、変換ギア３０と第２スライダ４２のラック４３との相対的な動きもない。
【００２９】
前述したような支持シャーシ１１の進出動によって、略水平状態となる表示パネル１０が表示画面１０ａを下方に向けて格納筐体１００から突出していく。そして、表示パネル１０が最大突出位置に達する前に、案内レール１２を摺動する第１スライダ４１は板バネ部材１４の突起部１４ａを押え付けて案内レール１２の矩形孔１２ａに没入させて板バネ部材１４上を通過するものの、同様に案内レール１２を摺動する第２スライダ４２は、その係合孔４２ａに板バネ部材１４の突起部１４ａが嵌り込んで（図１２参照）、それ以上の移動が規制される。更に、表示パネル１０をその最大突出位置まで突出させるように、支持シャーシ１１が進出動を継続する。
【００３０】
支持シャーシ１１の継続的な進出動によって、表示パネル１０が、第２スライダ４２の移動が規制された時点での位置から前記最大突出位置まで移動する際に、図１３に示すように、支持シャーシ１１と共に移動を継続する第１スライダ４１が、移動規制された第２スライダ４２から離間していく。この過程で、支持シャーシ１１と一体となる第１スライダ４１と第２スライダ４２との相対的な離間動に伴って、支持シャーシ１１（支持シャーシ側部１１ａ）側に回転自在に支持された変換ギア３０が、図１４に示すように、第２スライダ４２のラック４３上を回転移動する。
【００３１】
この変換ギア３０の回転が、支持シャーシ１１の移動によって変換ギア３０と共に移動する回動用ギア列３００（ギア３１、３２、３３を含む）を介して表示パネル１０の回動軸に装着されたギア１６に伝達される。変換ギア３０の回転に基づいたギア１６の回転によって表示パネル１０が立上げ回動させられる。そして、表示パネル１０が最大突出位置に達したことが所定のセンサ（図示略）によって検出されると、駆動モータ２０の回転が停止され、支持シャーシ１１の進出動及び表示パネル１０の立上げ回動が停止する。これにより、表示パネル１０は利用可能な起立状態となる（図１３、図１４参照）。
【００３２】
このように起立状態となった表示パネル１０の立ち下げ収納動作は次のようになされる。
【００３３】
進退駆動機構の駆動モータ２０が逆回転し、支持シャーシ１１が後退動する。すると、その支持シャーシ１１の後退動に伴って、案内レール１２に移動規制された第２スライダ４２に対して第１スライダ４１が近接していく。支持シャーシ１１と一体となる第１スライダ４１と第２スライダ４２との相対的な近接動に伴って、支持シャーシ１１（支持シャーシ側部１１ａ）側に回転自在に支持された変換ギア３０が、前述したのと逆方向に、第２スライダ４２のラック４３上を回転移動する（図１４、図１１参照）。この変換ギア３０の逆回転が、回動用ギア列３００を介して表示パネル１０の回動軸に装着されたギア１６に伝達される。そして、変換ギア３０の前記逆回転に基づいたギア１６の回転によって起立状態の表示パネル１０が立ち下げ回動させられる。
【００３４】
支持シャーシ１１の後退動によって、表示パネル１０が後退しつつ立ち下げ回動して略水平状態となると、支持シャーシ１１の後退動に伴って第２スライダ４２に近接しいく第１スライダ４１が第２スライダ４２に当接する（図１２参照）。そして、更なる支持シャーシ１１の後退動によって、第１スライダ４１が第２スライダ４２を収納筐体１００の奥側に向けて押す。これにより、第２スライダ４２の係合孔４２ａに嵌り込んだ板バネ部材１４の突起部１４ａが係合孔４２ａの縁部によって押さえ付けられて案内レール１２の矩形孔１２ａから離脱し、第２スライダ４２及び第１スライダ４３が相互に当接した状態で板バネ部材１４上を通過し、収納筐体１００の奥側に向けて案内レール１２を摺動する。
【００３５】
このようにして、支持シャーシ１１は、相互に当接した第１スライダ４１及び第２スライダ４２によって案内レール１２にガイドされつつ収納筐体１００の最奥部に向けて後退動する。そして、所定のセンサ（図示略）によって支持シャーシ１１が収納筐体１００の最奥部に達したことが検出されると、駆動モータ２０の逆回転が停止され、支持シャーシ１１の後退動が停止する。これにより、表示パネル１０は略水平状態となって収納筐体１００に収納される（図１乃至図３参照）。
【００３６】
前述したモニタ装置では、第２スライダ４２の移動が規制された時点での位置と最大突出位置との間で表示パネル１０を移動させる支持シャーシ１１の進退動に伴う第１スライダ４１と第２スライダ４２との相対的な離間動及び近接動に基づいた変換ギア３０のラック４３上での回転動により表示パネル１０の立上げ回動及び立ち下げ回動がなされるようになる。即ち、支持シャーシ１１を進退動させる進退駆動機構の駆動モータ２０が表示パネル１０の回転機構（ラック４３、変換ギア３０、回動用ギア列３００）の駆動源として利用される。
【００３７】
また、表示パネル１０が起立した状態では、図１３に示すように、表示パネル１０を立上げ回動させる際に離間させた第１スライダ４１と第２スライダ４２との外側端部間の距離Ｌspが支持シャーシ１１を介した表示パネル１０の実質的な支持スパンになることから、比較的大きな支持スパンＬspにて起立状態の表示パネル１０を支持することができるようになる。即ち、表示パネル１０を起立状態にさせた際の耐振動特性を改善することができる。
【００３８】
このように、前述したモニタ装置によれば、支持シャーシ１１の進退動駆動機構（進退動用ギア列２００、ラック１３、ギア２１）及び表示パネル１０の回動機構（ラック４３、変換ギア３０、回動用ギア列３００）の駆動源を共通化するとともに表示パネル１０を起立状態にさせた際の耐振動特性を改善することができるようになる。
【産業上の利用可能性】
【００３９】
本発明に係るモニタ装置は、進退駆動機構及び回動機構の駆動源の共通化とともに表示パネルを起立状態にさせた際の耐振動特性を改善することができるという効果を有し、収納筐体に略水平状態にて収納された表示パネルを、前記収納筐体から突出させ、更に回動させて起立した状態にして使用するモニタ装置として有用である。
【図面の簡単な説明】
【００４０】
【図１】本発明の実施の形態に係るモニタ装置の表示パネルが収納筐体に収納された状態を示す側面図である。
【図２】本発明の実施の形態に係るモニタ装置の表示パネルが収納筐体に収納された状態を示す底面図である。
【図３】図１におけるＡ−Ａ断面図である。
【図４】本発明の実施の形態に係るモニタ装置の表示パネルが収納筐体から突出して立上げ回動される直前の状態を示す側面図である。
【図５】本発明の実施の形態に係るモニタ装置の表示パネルが収納筐体から突出して立上げ回動される直前の状態を示す底面図である。
【図６】図４におけるＢ−Ｂ断面図である。
【図７】案内レールに係合する第１スライダ及び第２スライダを示す斜視図である。
【図８】図７におけるＩ部の拡大図である。
【図９】支持パネル側部、案内レール、第１スライダ及び第２スライダの配置関係を示す図である。
【図１０】図９におけるII部の拡大図である。
【図１１】表示パネルが収納筐体に収納された状態における回動用ギア列（ａ）と、表示パネルが収納筐体から突出して立上げ回動される直前の状態における回動用ギア列（ｂ）とを示す図である。
【図１２】表示パネルが収納筐体から突出して立上げ回動される直前の状態における第１スライダ及び第２スライダを示す図である。
【図１３】表示パネルが最大突出位置にて起立した状態における第１スライダ及び第２スライダを示す図である。
【図１４】表示パネルが最大突出位置にて起立した状態における回動用ギア列を示す図である。
【符号の説明】
【００４１】
１０  表示パネル
１０ａ  表示画面
１１  支持シャーシ（支持部材）
１１ａ  支持シャーシ側部
１１ａａ  長孔
１１ａｂ  切り欠き部
１２  案内レール
１２ａ  矩形孔
１３  ラック
１４  板バネ部材（スライド規制部材）
１４ａ  突起部
２０  駆動モータ
２１  ギア
３０  変換ギア
３１、３２、３３  ギア
４１  第１スライダ
４２  第２スライダ
４２ａ  係合孔
４２ｂ  係合ピン
４２ｃ  係合突起
４３  ラック
１００  収納筐体
２００  進退動用ギア列
３００  回動用ギア列
【図１】
2006213077.tif 000003
【図２】
2006213077.tif 000004
【図３】
2006213077.tif 000005
【図４】
2006213077.tif 000006
【図５】
2006213077.tif 000007
【図６】
2006213077.tif 000008
【図７】
2006213077.tif 000009
【図８】
2006213077.tif 000010
【図９】
2006213077.tif 000011
【図１０】
2006213077.tif 000012
【図１１】
2006213077.tif 000013
【図１２】
2006213077.tif 000014
【図１３】
2006213077.tif 000015
【図１４】
2006213077.tif 000016